(57)【要約】【課題】通気性に優れ、幼児や子供がかぶって遊んだ際の窒息事故を防止できるとともに、製品表面の保護性に優れ、外部からの埃の進入、製品への付着を防止でき、重量のある製品や大型の製品を収納した場合でも袋が破損する虞がなく、安全に包装することのできる包装袋を提供することを目的とする。【解決手段】本発明の包装袋１は、不織布と合成樹脂層からなる積層シートにより袋状に形成された包装袋であって、不織布よりなる内層２と、合成樹脂層よりなる外層３とを有し、外層には部分的な合成樹脂層非形成部４が設けられていることを特徴とする。【選択図】図１
2011006101.tif 000002
【特許請求の範囲】
【請求項１】
不織布と合成樹脂層からなる積層シートにより袋状に形成された包装袋であって、不織布よりなる内層と、合成樹脂層よりなる外層とを有し、外層には部分的な合成樹脂層非形成部が設けられていることを特徴とする包装袋。
【請求項２】
不織布の目付量が１５ｇ／ｍ２〜３０ｇ／ｍ２である請求項１記載の包装袋。
【請求項３】
合成樹脂層非形成部が帯状に設けられている請求項１又は２記載の包装袋。
【発明の詳細な説明】
【技術分野】
【０００１】
本発明は包装袋に関する。
【背景技術】
【０００２】
各種製品を運搬、移送する際に製品を収納するための包装袋が使用されている。例えば電気製品では、運搬中の衝撃等により破損したり傷ついたりしないように、電気製品を梱包箱内に収納包装して流通しているが、特に液晶テレビ等の傷付きやすい電気製品は、液晶表面の傷つき、外部からの埃の進入、製品への付着を防ぐ等の目的で、電気製品全体を薄手の包装袋で包んでから梱包箱内に収納包装している（特許文献１、２）。この種の包装袋としては通常、薄い合成樹脂シート等からなる袋が用いられている。
【先行技術文献】
【特許文献】
【０００３】
【特許文献１】特開２００５−２３１６５５号公報
【特許文献２】特開２００８−３０８２２２号公報
【発明の概要】
【発明が解決しようとする課題】
【０００４】
しかしながら合成樹脂シート製の袋は強度が高く密閉性が高いため、幼児や子供が頭からかぶって遊んだりして誤って窒息する危険があった。一方、不織布等の通気性素材からなる袋の場合には誤って窒息する危険は少ないが、大型の電気製品や重量のある電気製品を包装すると破損し易いという問題があった。本発明はこのような問題を解決すべくなされたもので、製品の破損、傷つきを防止できるとともに、大型や重量のある電気製品等の製品の収納も可能であり、しかも通気性を有し幼児や子供が頭からかぶったりしても窒息事故を生じる虞のない包装袋を提供することを目的とする。
【課題を解決するための手段】
【０００５】
即ち本発明は、
（１）不織布と合成樹脂層からなる積層シートにより袋状に形成された包装袋であって、不織布よりなる内層と、合成樹脂層よりなる外層とを有し、外層には部分的な合成樹脂層非形成部が設けられていることを特徴とする包装袋、
（２）不織布の目付量が１５ｇ／ｍ２〜３０ｇ／ｍ２である上記（１）の包装袋、
（３）合成樹脂層非形成部が帯状に設けられている上記（１）又は（２）の包装袋、
を要旨とするものである。
【発明の効果】
【０００６】
本発明の包装袋は、通気性に優れるため、幼児や子供がかぶって遊んだ際の窒息事故を防止でき安全性に優れているとともに、通気性が要求される食品等を収納するための袋として使用した場合、食品の緩衝性とともに鮮度等を維持できる。また内層が不織布よりなるため傷つきやすい液晶表示装置等の表面の保護性にも優れているとともに、外部からの埃の進入、付着を防止できる。また不織布の外層に合成樹脂層が設けられているため、大型や重量のある電気製品を収納した場合でも袋が破損する虞がなく、電気製品を安全に包装することができる等の効果を奏する。
【図面の簡単な説明】
【０００７】
【図１】本発明の包装袋の一例を示す斜視図である。
【図２】図１のＩＩ−ＩＩ線に沿う縦断面図である。
【図３】本発明の包装袋の他の実施態様を示す斜視図である。
【図４】図３のＩＶ−ＩＶ線に沿う縦断面図である。
【図５】本発明の包装袋の更に異なる実施態様を示す斜視図である。
【発明を実施するための形態】
【０００８】
図１、図２は本発明の包装袋１の一例を示し、包装袋１は不織布よりなる内層２と、該不織布の内層２に積層一体化され合成樹脂層よりなる外層３とを有し、外層３には部分的な合成樹脂層非形成部４が形成され、該合成樹脂層非形成部４において内層２を構成する不織布が包装袋１の外面側に露出するように構成されている。
【０００９】
本発明の包装袋１における内層２を構成する不織布としては、紙や合成繊維よりなるものが用いられるが、袋１の強度と通気性、緩衝性の面から目付量が１５〜３０ｇ／ｍ２のものが好ましい。内層２を構成する不織布の目付量が１５ｇ／ｃｍ２未満の場合、袋１の強度が不十分となり、３０ｇ／ｍ２を超えると通気性が不十分となる。不織布を構成する合成繊維としては、ポリエチレン、ポリプロピレン、アクリル、レーヨン、ナイロン、ポリエステル、ポリ乳酸、及びこれらの複合品等が挙げられる。一方、外層３を構成する合成樹脂としては、ポリエチレン、ポリプロピレン、発泡ポリエチレン、アルミ蒸着品等が挙げられる。
【００１０】
図１、２に示す包装袋１は、不織布２ａと、合成樹脂層３ａとを、部分的な合成樹脂層非形成部４が帯状に設けられるように積層一体化した積層シート５ａと、不織布２ｂに合成樹脂層３ｂを積層一体化した積層シート５ｂとを、各積層シート５ａ、５ｂの不織布２ａ、２ｂ側が内側となるように重ね合わせ、三辺を接着、ヒートシール等により接合一体化して袋状に構成されている。尚、図中、６は積層シート５ａ、５ｂの接合部を示す。
【００１１】
積層シート５ａ、５ｂは、不織布２ａ上に合成樹脂層３ａを押出ラミネート法、ホットメルト法、共押し出し法、熱ラミネート法等の方法により積層一体化して得られるが、この際に部分ラミネートすることにより、合成樹脂層非形成部４を有する積層シート５ａを得ることができる。合成樹脂層非形成部４は袋１の中央部に限らず、任意の位置に設けることができ、複数箇所に設けることもできる。
【００１２】
本発明の包装袋１は、図３、４に示すように表面側および裏面側に合成樹脂層非形成部４が設けられていても良い。図３、４に示す包装袋１は、不織布２ｃに、帯状に合成樹脂層非形成部４が形成されるように合成樹脂層３ｃを設けて積層一体化した積層シート５ｃを、帯状の合成樹脂層非形成部４と直交する方向に二つ折りにし、合成樹脂層非形成部４方向に沿った両端辺部に接合部６を形成して袋状として得ることができる。尚、図４において、９は積層シート５ｃの折り曲げ部を示す。また特に図示しないが、両面に合成樹脂層非形成部４を有する包装袋は、積層シート５ｃを折り曲げて得る場合に限らず、図２に示したごとき積層シート５ａを２枚重ね合わせ、三辺を接合する方法によって得ることもできる。
【００１３】
上記した実施例では、袋１の口部７から底部８へ連続して延びる帯状の合成樹脂層非形成部４を設けた場合について示したが、合成樹脂層非形成部４は必ずしも連続していなくても良く、非連続形状に形成されていても良く、合成樹脂層非形成部４の形状も帯状に限らず任意の形状に形成することができるが、通常は包装袋１の片面または両面に連続した帯状に形成することが好ましい。また合成樹脂層非形成部４を帯状に形成する場合、包装袋１の口部７から底部８方向に連続した帯状に形成する場合に限らず、図５に示すように包装袋１の口部７と平行する方向に合成樹脂層非形成部４を設けたものでも良い。この場合も、合成樹脂層非形成部４は袋の片面側のみならず、両面側に設けることができる。尚、上記した実施例はマチ部を有さない包装袋（平袋）について説明したが、マチ部を有する袋や箱形状の袋（角袋、ガゼット袋）等、任意の形状に形成することができる。
【００１４】
本発明の包装袋１は、テレビ、電子レンジ等の電気製品や、リモコン等の電気製品の付属品の収納包装用、食品包装用の包装袋として好適である。
【符号の説明】
【００１５】
１    包装袋
２    内層
２ａ  不織布
２ｂ  不織布
２ｃ  不織布
３    外層
３ａ  合成樹脂層
３ｂ  合成樹脂層
３ｃ  合成樹脂層
４    合成樹脂層非形成部
【図１】
2011006101.tif 000003
【図２】
2011006101.tif 000004
【図３】
2011006101.tif 000005
【図４】
2011006101.tif 000006
【図５】
2011006101.tif 000007